(57)【要約】【課題】１つの硬貨投入口に投入される直径を異にする２種類の正規硬貨のみの受入を許容する硬貨の検銭装置、２種類の正規硬貨を仕分けする硬貨仕分け装置を提供する。【解決手段】直径基準設定手段１１０が有する上縁応動部材１１１と先端縁応動部材１４０は、基準固定ピン１０１により位置決めされて直径検知基準ピン１１１ａに当接する投入硬貨の外周上縁と外周先端縁に応動して直径検知基準ピンを設定し、これを直径基準として正規硬貨を感知し、硬貨通過許容手段１４０が硬貨当接部１１３を硬貨通路外に移動させ投入硬貨の通過を許容する。直径検知基準ピンは小径の正規硬貨の直径以下のとき小径の正規硬貨の直径以上に、小径の正規硬貨の直径を超え大径の正規硬貨の直径未満の任意の直径であるとき当該硬貨の直径以上に、大径の正規硬貨の直径以上の直径を有するとき大径の正規硬貨の直径を超えてそれぞれ基準ピンから離間しないように設定される。【選択図】図２
2007293789.tif 000002
【特許請求の範囲】
【請求項１】
硬貨投入口に投入された硬貨を直径により検銭し、直径の異なる２種類の正規硬貨のみを通過させる検銭装置であって、
前記投入硬貨の外周下縁に当接して硬貨の高さを位置決めする基準固定ピンと、
前記基準固定ピンによって位置決めされた前記投入硬貨の外周上縁に当接し、前記投入硬貨が正規硬貨であるとき、該正規硬貨の直径を検知するための直径基準となる直径検知基準ピンと、
前記基準固定ピンにより位置決めされて前記直径検知基準ピンに当接する前記投入硬貨の前記外周上縁に応動する上縁応動部材と外周先端縁に応動する先端縁応動部材とを有し、前記上縁応動部材及び前記先端縁応動部材間の応動規制により前記直径検知基準ピンを設定する直径基準設定手段と、
前記直径基準設定手段により設定された前記直径検知基準ピンを直径基準として前記投入硬貨の直径を感知し、該感知した直径が正規硬貨の直径に対応するとき、前記先端縁応動部材の硬貨当接部を硬貨通路外に移動させ前記投入硬貨の通過を許容する硬貨通過許容手段とを備え、
前記直径基準設定手段は、前記応動規制により、前記投入硬貨の直径が小径の正規硬貨の直径以下のとき前記基準固定ピンから小径の正規硬貨の直径以上離間しない位置に、前記投入硬貨の直径が小径の正規硬貨の直径を超え大径の正規硬貨の直径未満の任意の直径であるとき前記基準固定ピンから当該硬貨の直径以上に離間しない位置に、前記投入硬貨の直径が大径の正規硬貨の直径以上の直径を有するとき前記基準固定ピンから大径の正規硬貨の直径を超えて離間しない位置にそれぞれ前記直径検知基準ピンを設定する
ことを特徴とする硬貨の検銭装置。
【請求項２】
前記上縁応動部材は、一端に前記直径検知基準ピンが、他端に係合ピンがそれぞれ突設されるとともに一端寄りで枢着され、前記直径検知基準ピンに前記投入硬貨の外周上縁が当接されて回動される上縁応動レバーからなり、
前記先端縁応動部材は、前記投入硬貨の先端外周縁が当接される位置にバネ付勢により保持され、前記硬貨通過許容手段により前記バネ付勢に抗して硬貨通路外に移動させるように前記硬貨当接部が設けられとともに一端で枢着され、前記硬貨当接部に前記投入硬貨の先端外周縁が当接されて回動される先端縁応動アームからなり、
前記先端縁応動アームは、前記上縁応動レバーの前記係合ピンと係合して前記上縁応動レバー及び前記先端縁応動アーム間の回動規制を行う規制部を有する
ことを特徴とする請求項１記載の硬貨の検銭装置。
【請求項３】
前記規制部は、前記投入硬貨の直径が小径の正規硬貨の直径以下のとき、前記投入硬貨の外周上縁が当接されて回動される前記上縁応動レバーの前記係合ピンと係合して前記直径検知基準ピンが前記基準固定ピンから小径の正規硬貨の直径を超えて離間しないように前記上縁応動レバーと前記先端縁応動アームの回動を相互に規制する第１の規制面と、前記投入硬貨の直径が小径の正規硬貨の直径を超え大径の正規硬貨の直径未満の任意の直径であるとき、前記投入硬貨の外周上縁が当接されて回動される前記上縁応動レバーの前記係合ピンと係合して前記直径検知基準ピンが前記基準固定ピンから当該硬貨の直径以上に離間しないように前記上縁応動レバーと前記先端縁応動アームの回動を相互に規制する第２の規制面と、前記投入硬貨の直径が大径の正規硬貨の直径以上のとき、前記投入硬貨の外周上縁が当接されて回動される前記上縁応動レバーの前記係合ピンと係合して前記直径検知基準ピンが前記基準固定ピンから大径の正規硬貨の直径を超えて離間しないように前記上縁応動レバーと前記先端縁応動アームの回動を相互に規制する第３の規制面とを有する
ことを特徴とする請求項２記載の硬貨の検銭装置。
【請求項４】
請求項１乃至３のいずれかに記載の硬貨の検銭装置と、該検銭装置によって検銭され通過された２種類の正規硬貨を仕分ける硬貨仕分け手段とを備える
ことを特徴とする硬貨受入装置。
【請求項５】
前記仕分け手段は、前記小径の正規硬貨の直径以上、前記大径の正規硬貨の直径未満の距離離間して一対の仕分けピンが両端に突設された仕切りレバーを有し、該仕切りレバーは、前記仕分けピンの一方に偏った位置で枢着され、前記仕分けピンが前記正規硬貨が落下する落下路を跨ぐ位置に重量アンバランスにより一方向に回転力が付与されて保持され、前記小径の正規硬貨を前記一対の仕分けピン間を通過させて前記落下路に沿って落下させ、前記大径の正規硬貨が前記２つの仕分けピン間に乗ったとき前記回転力と逆方向の重量アンバランスによって回動して前記大径の正規硬貨を前記落下路から外れた前記小径の正規硬貨の落下位置と異なる位置に落下させて２種類の正規硬貨を仕分ける
ことを特徴とする請求項４記載の硬貨受入装置。
【発明の詳細な説明】
【技術分野】
【０００１】
本発明は、硬貨投入口に投入された硬貨を直径により検銭し、正規硬貨のみの受入を許容する硬貨の検銭装置及び該検銭装置を備えた硬貨受入装置に関するものである。
【背景技術】
【０００２】
例えばコインロッカには、利用者が使用に当たって投入する硬貨を受け入れる硬貨受入装置が設けられている。受入装置には、正規の直径の硬貨のみの受入を許容する硬貨の検銭装置が内設される。図１８は硬貨受入装置の一例を正面図で示し、硬貨受入装置の前壁１に硬貨投入口２、硬貨返却口３、利用客が使用する客用錠４、管理者が使用する管理用錠５などが設けられている。利用者が硬貨投入口２に所定の硬貨を投入すると、硬貨投入口２の奥に設けられた検銭装置で硬貨の直径が検査され、正規の硬貨が投入されたことが検知されると、客用錠４のキー６の操作が可能になり、キー６を操作すると施錠杆７が突出（或いは没入）してロッカの扉（図示しない）を施錠（或いは解錠）するので、利用者がロッカをを利用できる。同様の硬貨受入装置は、所定の硬貨の投入によって物品を販売する自動販売機などにも設けられることがある。
【０００３】
硬貨の直径を検査する一般的な検銭装置として、図１９に示すように２つのレバーを組み合わせた型式のものが古くから知られている（例えば特許文献１参照。実開平２−１３３７８８号公報など参照）。この検銭装置は、硬貨投入口２に硬貨Ｃが投入されると、硬貨Ｃの下面が基板８が有する硬貨受入口９の下端面に当接して硬貨Ｃの高さが位置決めされ、硬貨Ｃの上面が基板８に立設された支軸１１に一端が枢着された直径感知レバー１３のカム面１３ａを押圧するので、直径感知レバー１３が支軸１１を支点として反時計方向に回動し、押動片１３ｂが基板８に立設された支軸１２に屈曲部１４ａが枢着されたＶ字型の硬貨通過許容レバー１４の被押動腕１４ｂを上方に押動する。押動された硬貨通過許容レバー１４は支軸１２を支点として時計方向に回動し、後退腕１４ｃが硬貨通路より上方に後退するので、硬貨Ｃが通過可能になる。
【０００４】
硬貨Ｃの直径が正規の硬貨よりも小径の場合には、直径感知レバー１３の回動量が少なくなるので、後退腕１４ｃの後退量が減少し、硬貨通路内に残っている後退腕１４ｃが、硬貨Ｃの通過を阻止する。硬貨Ｃの直径が正規の硬貨よりも大径の場合には、硬貨Ｃが直径感知レバー１３を大きく回動しようとするが、その前に硬貨受入口９の上下端に挿入を阻止され、直径感知レバー１３の回動に至ることがない。従って、硬貨Ｃはカム面１３ａと硬貨受入口９の下面との間を通過することができない。このようにして、正規の直径の硬貨Ｃのみが受入られる。従来知られた検銭装置は、１種類の直径の硬貨を正規硬貨として受け入れるものでしかなかった。
【特許文献１】実開平２−１３３７８８号公報
【発明の開示】
【発明が解決しようとする課題】
【０００５】
しかしながら、近時、コインロッカとして各種の利用形態を可能にしたものが出現し、これに伴って、利用に多数の硬貨の投入が必要なものも現れてきている。例えば、利用或いは物品の購入に５００円を超える硬貨を必要とする場合には、５個以上の１００円硬貨の投入が必要になるが、１００円の他、５００円硬貨の投入も可能にするには、上述したように、１種類の直径の硬貨しか正規硬貨として受け入れることのできない従来の検銭装置では、１００円硬貨用と５００円硬貨用の２つの投入口を設け、各投入口に対応して検銭装置を設ける必要があった。
【０００６】
各硬貨に対応して投入口がそれぞれ設けられた場合には、正規の硬貨であっても、当該硬貨が対応する投入口に投入されないと、硬貨の投入が拒否される。このようなときには投入口を変えて硬貨に応じた投入口に再投入しなければならない。このようなことをなくすには、投入する硬貨毎に、硬貨に対応した投入口を確認しながら、硬貨に対応した投入口を選択して硬貨を投入すればよい。しかし、何れの場合にも、硬貨投入の際に利用者に煩わしさを感じさせるものであった。
【０００７】
よって、本発明は、上述した点に鑑み、１つの硬貨投入口に投入される直径を異にする２種類の正規硬貨のみの受入を許容する硬貨の検銭装置、及び、検銭装置によって検銭された２種類の正規硬貨を仕分けして受け入れる硬貨受入装置を提供することを課題としている。
【課題を解決するための手段】
【０００８】
上記課題を解決するためなされた請求項１記載の発明に係る硬貨の検銭装置は、硬貨投入口に投入された硬貨を直径により検銭し、直径の異なる２種類の正規硬貨のみを通過させる検銭装置であって、前記投入硬貨の外周下縁に当接して硬貨の高さを位置決めする基準固定ピンと、前記基準固定ピンによって位置決めされた前記投入硬貨の外周上縁に当接し、前記投入硬貨が正規硬貨であるとき、該正規硬貨の直径を検知するための直径基準となる直径検知基準ピンと、前記基準固定ピンにより位置決めされて前記直径検知基準ピンに当接する前記投入硬貨の前記外周上縁に応動する上縁応動部材と外周先端縁に応動する先端縁応動部材とを有し、前記上縁応動部材及び前記先端縁応動部材間の応動規制により前記直径検知基準ピンを設定する直径基準設定手段と、前記直径基準設定手段により設定された前記直径検知基準ピンを直径基準として前記投入硬貨の直径を感知し、該感知した直径が正規硬貨の直径に対応するとき、前記先端縁応動部材の硬貨当接部を硬貨通路外に移動させ前記投入硬貨の通過を許容する硬貨通過許容手段とを備え、前記直径基準設定手段は、前記応動規制により、前記投入硬貨の直径が小径の正規硬貨の直径以下のとき前記基準固定ピンから小径の正規硬貨の直径以上離間しない位置に、前記投入硬貨の直径が小径の正規硬貨の直径を超え大径の正規硬貨の直径未満の任意の直径であるとき前記基準固定ピンから当該硬貨の直径以上に離間しない位置に、前記投入硬貨の直径が大径の正規硬貨の直径以上の直径を有するとき前記基準固定ピンから大径の正規硬貨の直径を超えて離間しない位置にそれぞれ前記直径検知基準ピンを設定することを特徴とする。
【０００９】
上記構成により、直径基準設定手段は、基準固定ピンにより位置決めされて前記直径検知基準ピンに当接する投入硬貨の外周上縁に応動する上縁応動部材と外周先端縁に応動する先端縁応動部材とを有し、上縁応動部材及び先端縁応動部材間の応動規制により直径検知基準ピンを設定し、設定された直径検知基準ピンを直径基準として投入硬貨の直径を感知し、該感知した直径が正規硬貨の直径に対応するとき、硬貨通過許容手段が先端縁応動部材の硬貨当接部を硬貨通路外に移動させ投入硬貨の通過を許容する。直径基準設定手段による直径検知基準ピンの設定は、応動規制により、投入硬貨の直径が小径の正規硬貨の直径以下のとき基準固定ピンから小径の正規硬貨の直径以上離間しない位置に、投入硬貨の直径が小径の正規硬貨の直径を超え大径の正規硬貨の直径未満の任意の直径であるとき基準固定ピンから当該硬貨の直径以上に離間しない位置に、投入硬貨の直径が大径の正規硬貨の直径以上の直径を有するとき基準固定ピンから大径の正規硬貨の直径を超えて離間しない位置にそれぞれ行われる。
【００１０】
従って、投入される硬貨の直径に応じて受け入れる硬貨の直径基準を切り替え設定し、設定した直径基準によって受け入れた硬貨の直径を感知し、感知した直径が規定硬貨の直径を超える場合及び規定硬貨の直径未満のときは硬貨の通過を阻止することができ、設定された直径検知基準ピンを直径基準として投入硬貨の直径を感知し、該感知した直径が正規硬貨の直径に対応するとき、先端縁応動部材の硬貨当接部を硬貨通路外に移動させ投入硬貨の通過を許容することができる。
【００１１】
請求項２記載の発明に係る硬貨の検銭装置は、請求項１記載の硬貨の検銭装置において、前記上縁応動部材は、一端に前記直径検知基準ピンが、他端に係合ピンがそれぞれ突設されるとともに一端寄りで枢着され、前記直径検知基準ピンに前記投入硬貨の外周上縁が当接されて回動される上縁応動レバーからなり、前記先端縁応動部材は、前記投入硬貨の先端外周縁が当接される位置にバネ付勢により保持され、前記硬貨通過許容手段により前記バネ付勢に抗して硬貨通路外に移動させるように前記硬貨当接部が設けられとともに一端で枢着され、前記硬貨当接部に前記投入硬貨の先端外周縁が当接されて回動される先端縁応動アームからなり、前記先端縁応動アームは、前記上縁応動レバーの前記係合ピンと係合して前記上縁応動レバー及び前記先端縁応動アーム間の回動規制を行う規制部を有することを特徴とする。
【００１２】
上記構成により、上縁応動部材は、一端に前記直径検知基準ピンが、他端に係合ピンがそれぞれ突設されるとともに一端寄りで枢着され、直径検知基準ピンに投入硬貨の外周上縁が当接されて回動される上縁応動レバーからなり、先端縁応動部材は、投入硬貨の先端外周縁が当接される位置にバネ付勢により保持され、硬貨通過許容手段によりバネ付勢に抗して硬貨通路外に移動させるように硬貨当接部が設けられとともに一端で枢着され、硬貨当接部に投入硬貨の先端外周縁が当接されて回動される先端縁応動アームからなり、先端縁応動アームが有する規制部は、上縁応動レバーの前記係合ピンと係合して上縁応動レバー及び先端縁応動アーム間の回動規制を行う。
【００１３】
従って、投入された硬貨の直径に応じて直径検知基準ピンによる基準位置が切り替えられ、基準固定ピンと直径検知基準ピンとによって受け入れる硬貨の直径が規定され、かつ、直径検知基準ピンを基準に硬貨の直径が検知することができる。
【００１４】
請求項３記載の発明に係る硬貨の検銭装置は、請求２記載の硬貨の検銭装置において、前記規制部は、前記投入硬貨の直径が小径の正規硬貨の直径以下のとき、前記投入硬貨の外周上縁が当接されて回動される前記上縁応動レバーの前記係合ピンと係合して前記直径検知基準ピンが前記基準固定ピンから小径の正規硬貨の直径を超えて離間しないように前記上縁応動レバーと前記先端縁応動アームの回動を相互に規制する第１の規制面と、前記投入硬貨の直径が小径の正規硬貨の直径を超え大径の正規硬貨の直径未満の任意の直径であるとき、前記投入硬貨の外周上縁が当接されて回動される前記上縁応動レバーの前記係合ピンと係合して前記直径検知基準ピンが前記基準固定ピンから当該硬貨の直径以上に離間しないように前記上縁応動レバーと前記先端縁応動アームの回動を相互に規制する第２の規制面と、前記投入硬貨の直径が大径の正規硬貨の直径以上のとき、前記投入硬貨の外周上縁が当接されて回動される前記上縁応動レバーの前記係合ピンと係合して前記直径検知基準ピンが前記基準固定ピンから大径の正規硬貨の直径を超えて離間しないように前記上縁応動レバーと前記先端縁応動アームの回動を相互に規制する第３の規制面とを有することを特徴とする。
【００１５】
上記構成により、規制部が有する第１の規制面は、投入硬貨の直径が小径の正規硬貨の直径以下のとき、投入硬貨の外周上縁が当接されて回動される上縁応動レバーの係合ピンと係合して直径検知基準ピンが基準固定ピンから小径の正規硬貨の直径を超えて離間しないように上縁応動レバーと先端縁応動アームの回動を相互に規制し、第２の規制面は、投入硬貨の直径が小径の正規硬貨の直径を超え大径の正規硬貨の直径未満の任意の直径であるとき、投入硬貨の外周上縁が当接されて回動される上縁応動レバーの係合ピンと係合して直径検知基準ピンが基準固定ピンから当該硬貨の直径以上に離間しないように上縁応動レバーと前記先端縁応動アームの回動を相互に規制し、第３の規制面は、投入硬貨の直径が大径の正規硬貨の直径以上のとき、投入硬貨の外周上縁が当接されて回動される上縁応動レバーの係合ピンと係合して直径検知基準ピンが基準固定ピンから大径の正規硬貨の直径を超えて離間しないように上縁応動レバーと先端縁応動アームの回動を相互に規制する。
【００１６】
従って、投入された硬貨の直径に応じて決まる係合ピンが係合する第１〜第３の規制部の一つによって投入硬貨の直径を検知する直径基準となる直径検知基準ピンを設定することができる。
【００１７】
請求項４記載の発明に係る硬貨受入装置は、請求項１乃至３のいずれかに記載の硬貨の検銭装置と、該検銭装置によって検銭され通過された２種類の正規硬貨を仕分ける硬貨仕分け手段とを備えることを特徴とする。
【００１８】
上記構成により、硬貨仕分け手段は硬貨の検銭装置によって検銭され通過された２種類の正規硬貨を仕分けるので、硬貨投入口が一つでも、投入された２種類の硬貨を識別して受け入れることができる。
【００１９】
請求項５記載の発明に係る硬貨受入装置は、請求項４記載の硬貨受入装置において、前記仕分け手段は、前記小径の正規硬貨の直径以上、前記大径の正規硬貨の直径以下の距離離間して一対の仕分けピンが両端に突設された仕切りレバーを有し、該仕切りレバーは、前記仕分けピンの一方に偏った位置で枢着され、前記仕分けピンが前記正規硬貨が落下する落下路を跨ぐ位置に重量アンバランスにより一方向に回転力が付与されて保持され、前記小径の正規硬貨を前記一対の仕分けピン間を通過させて前記落下路に沿って落下させ、前記大径の正規硬貨が前記２つの仕分けピン間に乗ったとき前記回転力と逆方向の重量アンバランスによって回動して前記大径の正規硬貨を前記落下路から外れた前記小径の正規硬貨の落下位置と異なる位置に落下させて２種類の正規硬貨を仕分けることを特徴とする。
【００２０】
上記構成により、仕分け手段が有する仕切りレバーは、小径の正規硬貨の直径以上、大径の正規硬貨の直径以下の距離離間して一対の仕分けピンが両端に突設され、仕分けピンの一方に偏った位置で枢着されている。仕分けピンが正規硬貨が落下する落下路を跨ぐ位置に重量アンバランスにより一方向に回転力が付与されて保持され、小径の正規硬貨を一対の仕分けピン間を通過させて落下路に沿って落下させるが、大径の正規硬貨が２つの仕分けピン間に乗ったとき回転力と逆方向の重量アンバランスによって回動して大径の正規硬貨を小径の正規硬貨の落下路から外れた小径の正規硬貨の落下位置と異なる位置に落下させて２種類の正規硬貨を仕分ける。従って、落下した位置によって、異なる直径の硬貨の何れが投入されたかを判別することができる。
【発明の効果】
【００２１】
請求項１記載の発明によれば、投入される硬貨の直径に応じて受け入れる硬貨の直径基準を切り替え設定し、設定した直径基準によって受け入れた硬貨の直径を感知し、感知した直径が規定硬貨の直径を超える場合及び規定硬貨の直径未満のときは硬貨の通過を阻止することができ、設定された直径検知基準ピンを直径基準として投入硬貨の直径を感知し、該感知した直径が正規硬貨の直径に対応するとき、先端縁応動部材の硬貨当接部を硬貨通路外に移動させ投入硬貨の通過を許容することができるので、１つの硬貨投入口に投入される直径を異にする２種類の正規硬貨のみの受入を許容する硬貨の検銭装置を提供することができる。
【００２２】
請求項２記載の発明によれば、投入された硬貨の直径に応じて直径検知基準ピンによる基準位置が切り替えられ、基準固定ピンと直径検知基準ピンとによって受け入れる硬貨の直径が規定され、かつ、直径検知基準ピンを基準に硬貨の直径が検知することができるので、基準固定ピンと直径検知基準ピンによって規定硬貨の直径を超える直径を有する硬貨の投入を阻止し、直径検知基準ピンに基づく直径の感知によって規定硬貨の直径未満の硬貨の通過を阻止することができる。
【００２３】
請求項３記載の発明によれば、投入された硬貨の直径に応じて決まる係合ピンが係合する第１〜第３の規制部の一つによって投入硬貨の直径を検知する直径基準となる直径検知基準ピンを設定することができるので、直径基準となる直径検知基準ピンの設定が正確に行える。
【００２４】
請求項４記載の発明によれば、硬貨投入口が一つでも、投入された２種類の硬貨を識別して受け入れることができるので、投入された硬貨を識別する手段を別途設ける必要がない。
【００２５】
請求項５記載の発明によれば、落下した位置によって、異なる直径の硬貨の何れが投入されたかを判別することができるので、各位置の硬貨数によって投入金額を簡単に把握することができる。
【発明を実施するための最良の形態】
【００２６】
以下、本発明に係る検銭装置を、検銭し受け入れた２種類の硬貨を仕分ける仕分け手段を有する硬貨受入装置に適用した一実施形態を示す図面を参照して説明する。図１は検銭装置の左側方からみた斜視図、図２は左側面図、図３は正面図、図４は右側方から見た斜視図、そして図５は右側面図であり、これらの図において、金属板からなる基板１００は、その右側面１００Ａが、図示しない硬貨受入装置の前壁に設けられている硬貨投入口に投入された硬貨の左側面を案内する案内壁となり、右側面１００Ａに対して基板１００と平行に取り付けた図示しない案内板とともに硬貨を案内する案内路を形成し、硬貨受入装置内に配置される。
【００２７】
検銭装置は、硬貨投入口に投入された硬貨を検銭し、直径の異なる２種類の正規硬貨を通過させ硬貨受入装置に受け入れさせるため、基板１００の右側面１００Ａに立設され、硬貨投入口に投入された硬貨の外周下縁に当接して硬貨の高さを位置決めする基準固定ピン１０１と、この基準固定ピン１０１によって位置決めされた投入硬貨の外周上縁に当接し、投入硬貨が正規硬貨であるとき、該正規硬貨の直径を検知するための直径基準となる直径検知基準ピン１１１ａと、基準固定ピン１０１により位置決めされて直径検知基準ピン１１１ａに当接する投入硬貨の外周上縁に応動する上縁応動部材としての上縁応動レバー１１１と外周先端縁に応動する先端縁応動部材としての先端縁応動アーム１１２とを有し、上縁応動レバー１１１及び先端縁応動アーム１１２間の応動規制すなわち回動規制により直径検知基準ピン１１１ａを設定する直径基準設定手段１１０と、直径基準設定手段１１０により設定された直径検知基準ピン１１１ａを直径基準として投入硬貨の直径を感知し、感知した直径が正規硬貨の直径に対応するとき、先端縁応動アーム１１２の硬貨当接部である硬貨当接片１１３を硬貨通路外に移動させ投入硬貨の通過を許容する硬貨通過許容手段１４０とを備える。
【００２８】
なお、詳細には後述するが、直径基準設定手段１１０は、上記回動規制により、投入硬貨の直径が小径の正規硬貨の直径以下のとき基準固定ピン１０１から小径の正規硬貨の直径以上離間しない位置に、投入硬貨の直径が小径の正規硬貨の直径を超え大径の正規硬貨の直径未満の任意の直径であるとき基準固定ピン１０１から当該硬貨の直径以上に離間しない位置に、投入硬貨の直径が大径の正規硬貨の直径以上の直径を有するとき基準固定ピン１０１から大径の正規硬貨の直径を超えて離間しない位置にそれぞれ直径検知基準ピン１１１ａを設定する。
【００２９】
直径基準設定手段１１０が有する上縁応動レバー１１１は、具体的には、基板１００の左側面１００Ｂに立設された止軸１００ａに枢着され、一端に直径検知基準ピン１１１ａが、他端に係合ピン１１１ｂがそれぞれ立設され、基板１００と一端との間に張設された引っ張りバネ１１１ｃによって（図２において）時計回転方向の付勢力が付与されている。直径検知基準ピン１１１ａは、基板１００に形成した開口１０２を通じて基板１００の右側面１００Ａ側に突出されている。
【００３０】
直径基準設定手段１１０が有する先端縁応動アーム１１２はまた、同じく左側面１００Ｂに立設された止軸１００ｂに一端が枢着され、他端寄りに上縁応動レバー１１１の係合ピン１１１ｂが挿入され係合する規制窓１１２ａが形成され、基板１００との間に張設された引っ張りバネ１１２ｂによって（図２において）反時計回転方向の付勢力が付与されている。直径基準設定手段１１０が有する硬貨当接片１１３はさらに、先端縁応動アーム１１２に立設された止軸１１２ｃに中間部で枢着されるとともに、投入硬貨の先端外周縁が当接される位置にバネ付勢されて保持され、投入硬貨の先端外周縁の当接によって先端縁応動アーム１１２を回動させる。具体的には、硬貨当接片１１３は、一端に投入硬貨の先端外周縁が当接される当接ピン１１３ａが突設され、先端縁応動アーム１１２と他端との間に張設された引っ張りバネ１１３ｂによって他端がストッパ片１１２ｄに当接されるように（図２において）時計回転方向の付勢力が付与され、基板１００に形成した開口１０３を通じて基板１００の右側面１００Ａ側に突出された当接ピン１１３ａに投入硬貨の先端外周縁が当接されるように、基準固定ピン１０１と直径検知基準ピン１１１ａとの間に形成される硬貨通路の中央部に位置されている。
【００３１】
先端縁応動アーム１１２との間に張設された引っ張りバネ１１３ｂにより硬貨当接片１１３に付与された付勢力は、引っ張りバネ１１２ｂによって先端縁応動アーム１１２に付与された付勢力に比べて充分に大きく設定されており、このことによって、投入硬貨が当接ピン１１３ａに当接したとき硬貨当接片１１３が逃げることなく保持され、先端外周縁が当接される位置にバネ付勢されて保持され、投入硬貨の先端外周縁の当接によって先端縁応動アーム１１２が引っ張りバネ１１２ｂによる付勢力に抗して（図２において）時計回転方向に硬貨当接片１１３とともに回動されるようになる。なお、開口１０３は、受け入れる硬貨を硬貨通路を通じて通過させるように、当接ピン１１３ａとともに、後述するストッパピン（１３２）を邪魔にならない位置に移動可能な大きさに形成されている。
【００３２】
規制窓１１２ａは、先端縁応動アーム１１２と反対に（図２において）時計回転方向に付勢力が付与されている上縁応動レバー１１１の係合ピン１１１ｂと係合して初期位置出しする初期位置出し規制内縁部１１２ａ１を有する。この初期位置出し規制内縁部１１２ａ１に係合ピン１１１ｂが係合した状態で、上縁応動レバー１１１の直径検知基準ピン１１１ａと先端縁応動アーム１１２とが図示の初期状態に保持される。
【００３３】
規制窓１１２ａはまた、図６の拡大図に示すように、小径の正規硬貨の直径以下の直径を有する硬貨が投入されたとき、投入硬貨の先端外周縁が硬貨検知片１１３の硬貨検知ピン１１３ａに当接することで先端縁応動アーム１１２が回動されることによって、投入硬貨の外周上縁が直径検知基準ピン１１１ａに当接されて回動される上縁応動レバー１１１の係合ピン１１１ｂと係合して直径検知基準ピン１１１ａが基準固定ピン１０１から小径の正規硬貨の直径を超えて離間しないように上縁応動レバー１１１の先端縁応動アーム１１２の回動を相互に規制する第１の規制部としての第１の規制内縁部１１２ａ２を有する。
【００３４】
なお、第１の規制内縁部１１２ａ２は、投入硬貨の直径が小径の正規硬貨の直径に相当するものであるとき、係合ピン１１１ｂが係合して上縁応動レバー１１１の回動を規制する先端縁応動アーム１１２の回動中心を中心とする円弧内縁１１２ａ２１と、投入硬貨の直径が小径の正規硬貨の直径未満のとき、投入硬貨の先端外周縁によって先端縁応動アーム１１２が回動されて係合ピン１１１ｂと係合して先端縁応動アーム１１２のそれ以上の回動を規制する円弧内縁１１２ａ２１と直行する直交内縁１１２ａ２２とに分解される。
【００３５】
規制窓１１２ａはさらに、小径の正規硬貨の直径を超え大径の正規硬貨の直径未満の任意の直径を有する硬貨が投入されたとき、投入硬貨の先端外周縁が硬貨検知片１１３の硬貨検知ピン１１３ａに当接することで先端縁応動アーム１１２が回動されるとともに、投入硬貨の外周上縁が直径検知基準ピン１１１ａに当接されて直径検知基準ピン１１１ａが上縁応動レバー１１１が回動されることによって、上縁応動レバー１１１の係合ピン１１１ｂと係合して直径検知基準ピン１１１ａが基準固定ピン１０１から当該硬貨の直径以上に離間しないように上縁応動レバー１１１と先端縁応動アーム１１２の回動を相互に規制する第２の規制部としての第２の規制内縁部１１２ａ３を有する。
【００３６】
規制窓１１２ａはさらにまた、大径の正規硬貨の直径以上の直径を有する硬貨が投入されたとき、投入硬貨の先端外周縁が硬貨検知片１１３の硬貨検知ピン１１３ａに当接することで先端縁応動アーム１１２が回動されるとともに、投入硬貨の外周上縁が直径検知基準ピン１１１ａに当接されて上縁応動レバー１１１が回動されることにって、投入硬貨の外周上縁が当接されて回動される上縁応動レバー１１１の係合ピン１１１ｂと係合して直径検知基準ピン１１１ａが基準固定ピン１０１から大径の正規硬貨の直径を超えて離間しないように上縁応動レバー１１１の回動を規制する第３の規制部としての第３の規制内縁部１１２ａ４を有する。
【００３７】
なお、第３の規制内縁部１１２ａ４は、投入硬貨の直径が大径の正規硬貨の直径に相当するものであるとき、係合ピン１１１ｂが係合して上縁応動レバー１１１の回動を規制する先端縁応動アーム１１２の回動中心を中心とする円弧内縁１１２ａ４１と、投入硬貨の直径が上記任意の直径以上で大径の正規硬貨の直径未満のとき、投入硬貨の先端外周縁によって先端縁応動アーム１１２が回動されて係合ピン１１１ｂと係合して先端縁応動アーム１１２のそれ以上の回動を規制する円弧内縁１１２ａ４１と直行する直交内縁１１２ａ４２とに分解される。
【００３８】
特に、第２の規制内縁部１１２ａ３は、第１の規制内縁部１１２ａ２と第２の規制内縁部１１２ａ３との境である点Ｘから点Ｙまでの範囲であり、この範囲の規制窓１１２ａの内縁面は、投入硬貨の外周上縁が直径検知基準ピン１１１ａに当接して止軸１００ａに枢着された上縁応動レバー１１１が半時計回転方向に回動し、かつ、投入硬貨の先端外周縁が硬貨検知片１１３の硬貨検知ピン１１３ａに当接して先端縁応動アーム１１２が反時計回転方向に回動して係合ピン１１１ｂが当接したとき、係合ピン１１１ｂの回動軌跡に対して少なくと直交するか、或いは、上縁応動レバー１１１を時計回転方向に回動させる反力を生じる形状に形成されている。なお、点Ｙより下方の内縁部１１２ａ５の面は、上記範囲の面とは逆に、当接した係合ピン１１１ｂに対して上縁応動レバー１１１を反時計回転方向に回動させる力を生じる形状に形成されている。このことによって、小径の正規硬貨の直径を超え大径の正規硬貨の直径未満の任意の直径を有する硬貨が投入されたときには、直径検知基準ピン１１１ａが基準固定ピン１０１から当該硬貨の直径以上に確実に離間しないようにされる。
【００３９】
第１の規制内縁１１２ａ２は、上述したように、小径の正規硬貨の直径以下の直径を有する硬貨が投入されたとき、直径検知基準ピン１１１ａが基準固定ピン１０１から小径の正規硬貨の直径を超えて離間しないように上縁応動レバー１１１の回動を規制する。このことによって、小径の正規硬貨の直径を僅かに超える直径を有する硬貨は、直径検知基準ピン１１１ａと基準固定ピン１０１との間の通路を通過することができず、その受入が阻止される。第２の規制内縁１１２ａ３は、小径の正規硬貨の直径を超え大径の正規硬貨の直径未満の任意の直径を有する硬貨が投入されたとき、直径検知基準ピン１１１ａが基準固定ピン１０１から当該硬貨の直径以上に離間しないように上縁応動レバー１１１の回動を規制する。このことによって、小径の正規硬貨の直径を超え大径の正規硬貨の直径未満の任意の直径を有する硬貨は、直径検知基準ピン１１１ａと基準固定ピン１０１との間の通路を通過することができず、その受入が阻止される。第３の規制内縁部１１２ａ４は、大径の正規硬貨の直径以上の直径を有する硬貨が投入されたとき、直径検知基準ピン１１１ａが基準固定ピン１０１から大径の正規硬貨の直径を超えて離間しないように上縁応動レバー１１１の回動を規制する。このことによって、大径の正規硬貨の直径を超える直径を有する硬貨は、直径検知基準ピン１１１ａと基準固定ピン１０１との間の通路を通過することができず、その受入が阻止される。
【００４０】
上記硬貨通過許容手段１４０は、直径基準設定手段１１０により設定された直径検知基準ピン１１１ａを直径基準として投入硬貨の直径を感知する直径感知レバー１２０と、直径感知レバー１２０により感知した直径が正規硬貨の直径に対応するとき、先端縁応動アーム１１２の硬貨当接片１１３を硬貨通路外に移動させ投入硬貨の通過を許容する硬貨通過許容レバー１３０とを有する。直径感知レバー１２０は、その一端に直径感知ピン１２１が突設され、他端に押動部１２２が形成されており、この一端寄りの中間部で基板１００の左側面１００Ｂに立設された止軸１００ｃに枢着されている。直径感知ピン１２１は、基準固定ピン１０１に隣接してその後方に基板１００に形成した開口１０４を通じて基板１００の右側面１００Ａ側に突出され、止軸１００ｃを中心とする重量アンバランスによって、開口１０４の内縁１０４ａに当接された状態で（図２において）反時計回転方向の回動力が付与され、この重量アンバランスに抗する力が直径感知ピン１２１に作用したとき、最大、直径感知ピン１２１が開口１０４の内縁１０４ｂに当接されるまで（図２において）時計回転方向に回動可能である。厳密には、直径感知ピン１２１は、直径検知基準ピン１１１ａとの間の距離が、直径検知基準ピン１１１ａと基準固定ピン１０１との間の距離よりも小さくなるように、開口１０４の内縁１０４ａに当接されている。
【００４１】
硬貨通過許容レバー１３０は、その一端が基板１００の左側面１００Ｂに立設された止軸１００ｄに枢着されており、この一端寄りの中間部に被押動ピン１３１が、他端部にストッパピン１３２がそれぞれ突設されている。ストッパ１３２は、開口１０３を通じて基板１００の右側面１００Ａ側に突出され、止軸１００ｄを中心とする重量アンバランスによって、被押動ピン１３１が直径感知レバー１２０の押動部１２２に当接される直前の状態に保持されるように開口１０３の内縁に当接する位置に設けられている。押動部１２２から被押動ピン１３１に重量アンバランスに抗する力が作用すると、硬貨通過許容レバー１３０が反時計回転方向に回動される。硬貨通過許容レバー１３０は、その他端先端部に、当接ピン１１３ａと同心に反対方向に突設された被押動ピン１１３ａ１を押動し、当接ピン１１３ａを硬貨通路外に移動させる押動部１３３を有する。なお、押動部１３３は、投入した硬貨が受け入れられた後の復帰動作の際に、被押動ピン１１３ａ１が押動部１３３の下方に潜り込むことがないように、多少長めに形成されている。
【００４２】
次に、検銭装置の構成を説明するに当たって参照したと同一の図面、図１〜図５を参照して、検銭装置により検銭されて受け入れられた２種類の正規硬貨を仕分ける仕分け装置１５０を説明する。
【００４３】
仕分け装置１５０は、基板１００の左側面１００Ｂに立設された止軸１００ｅに枢着され、一対の仕分けピン１５１ａ，１５１ｂが突設されている仕分けレバー１５１を有する。一対の仕分けピン１５１ａ，１５１ｂは、止軸１００ｅを通る直線上にこの止軸を挟み、止軸１００ｅからの距離が仕分けピン１５１ａの方が小さく、相互間の距離が検銭されて受け入れられる２種類の正規硬貨の大径側の直径よりも小さく、かつ、小径側の直径よりも大きくなるように設けられ、基板１００に形成した開口１０５，１０６を通じて基板１００の右側面１００Ａ側に突出されている。
【００４４】
仕分けレバー１５１は、止軸１００ｅから仕分けピン１５１ａ，１５１ｂまでの距離が相違されて自重アンバランスが生じるように枢着されているが、この自重アンバランスによる回動方向と逆方向に回動する重量アンバラスが生じるように、止軸１００ｅを通る上記直線から離れた仕分けピン１５１ａ寄りの位置に重り１５２が設けられている。重り１５２は、仕分けピン１５１ｂが開口１０６の内縁の一部１０６ａに当接した状態で、仕分けレバー１５１に重量アンバランスを生じさせて（図２において）反時計回転方向の回動力を付与し、仕分けピン１５１ｂが開口１０６の内縁の一部１０６ａに当接した図示の状態、すなわち、止軸１００ｅを通る直線が略４５度に傾斜した状態に仕分けレバー１５１を保持するように働く。仕分けレバー１５１は、重量アンバランスに抗して時計回転方向の回動力が付与されたとき、止軸１００ｅを通る直線が略垂直となる位置まで回動され、仕分けピン１５１ｂが開口１０６の内縁の他の一部分１０６ｂに当接して停止する。
【００４５】
仕分け装置１５０はまた、開口１０６の内縁の一部１０６ａに当接された仕分けピン１５１ｂを挟んで互いに離間して右側面１００Ａ側に起立された２つの傾斜起立片１０６ｃ，１０６ｄを有する。傾斜起立片１０６ｃ，１０６ｄは、大径の正規硬貨の直径よりも大きな距離互いに離間され、仕分けピン１５１ｂが開口１０６の内縁の一部分１０６ａに当接されている状態で、仕分けピン１５１ｂとともに止軸１００ｅを通る直線と略直交する角度傾斜した傾斜面を形成する。この傾斜面は、一対の仕分けピン１５１ａ，１５１ｂ間を通過する小径の正規硬貨を傾斜面に沿って案内して落下させる小径正規硬貨用落下路を構成する。
【００４６】
大径の正規硬貨の場合、一対の仕分けピン１５１ａ，１５１ｂ間を通過することができず、仕切りレバー１５１はこれに加わる大径硬貨の重量によって、仕分けピン１５１ｂが開口１０６の内縁の他の部分１０６ｂに当接される位置まで回動される。この状態では、傾斜起立片１０６ｃ，１０６ｄ間から仕分けピン１５１ｂが移動されるようになり、大径の正規硬貨の直径以上に離間されている傾斜起立片１０６ｃ，１０６ｄ間には、大径の正規硬貨を落下させる大径正規硬貨用落下路が形成される。小径正規硬貨用落下路を落下する小径の正規硬貨と、大径正規硬貨用落下路を落下する大径の正規硬貨とは、互いに異なる位置に落下されるようになるので、２種類の正規硬貨を仕分けることができる。
【００４７】
以上構成を説明した硬貨の検銭装置及び仕切り装置の動作を、各部の動作状態を示す図７〜図１４を参照して以下説明する。
【００４８】
まず、小径の正規硬貨が投入された場合の動作を図７〜図１０を参照して説明する。図示しない硬貨投入口に小径の正規硬貨Ｃ１が投入されると、図７に示すように、その外周下縁が基準固定ピン１０１に当接して基準固定ピン１０１を基準にその高さ位置が決まり、硬貨Ｃ１の直径が小径の正規硬貨の直径であるので、図示のように、基準固定ピン１０１を基準に硬貨の外周上縁が上縁応動レバー１１１の直径検知基準ピン１１１ａに当接するとともに硬貨の外周先端縁が硬貨当接片１１３の当接ピン１１３ａに当接し、硬貨の押し込みによって、硬貨当接片１１３が枢着されている先端縁応動アーム１１２が引っ張りバネ１１２ｂの付勢力に抗して（図６において）反時計回転方向に回動され始める。
【００４９】
硬貨Ｃ１がさらに押し込まれると、図８に示すように、硬貨の直径が基準固定ピン１０１と直径検知基準ピン１１１ａを結ぶ線上に至り、硬貨の外縁が直径検知基準ピン１１１ａに当接して、上縁応動レバー１１１が引っ張りバネ１１１ｃの付勢力に抗して（図８において）時計回転方向に回動され、係合ピン１１１ｂが第１の規制内縁部１１２ａ２の円弧内縁１１２ａ２１に係合され、それ以上の回動が規制されて直径検知基準ピン１１１ａの位置が保持される。この位置が保持された直径検知基準ピン１１１ａは基準固定ピン１０１との間の距離が小径の正規硬貨Ｃ１の直径に相当する大きさになった位置に保持される。したがって、小径の正規硬貨Ｃ１の直径の硬貨が基準固定ピン１０１と直径検知基準ピン１１１ａとの間を通過し、この通過の前後に、硬貨の外周下縁が基準固定ピン１０１に隣接して配された直径感知ピン１２１に当接して、直径検知基準ピン１１１ａを基準にして直径感知レバー１２０には（図８において）反時計回転方向の回動力が付与され反時計回転方向に回動される。
【００５０】
このように、硬貨が小径の正規硬貨である場合、図９に示すように、直径感知レバー１２０は硬貨の直径が直径検知基準ピン１１１ａと直径感知ピン１２１との間に位置するようになるまで回動される。直径感知レバー１２０の他端の押動部１２２が硬貨通過許容レバー１３０の被押動ピン１３１を押動して、硬貨通過許容レバー１３０が（図９において）時計回転方向に回転され、当接ピン１１３ａとともに硬貨の通路から完全に移動されて硬貨の通過が許容される。通過した小径の正規硬貨Ｃ１は、図１０に示すように、仕分け装置１５０の傾斜起立片１０６ｃ、仕分けレバー１５１の一対の仕分けピン１５１ａ、１５１ｂ間、傾斜起立片１０６ｄからなる落下路を通って落下される。
【００５１】
これに対し、投入された硬貨が、小径の正規硬貨Ｃ１の直径未満の直径を有するものであるとき、基準固定ピン１０１と直径検知基準ピン１１１ａとの間を通過するが、直径感知レバー１２０には直径検知基準ピン１１１ａを基準にした反時計回転方向の回動力が付与されず反時計回転方向に回動されることがない。したがって、硬貨が正規硬貨の直径未満である場合、当接ピン１１３ａは硬貨の通路内に止まり、図１１に示すように、硬貨の先端外周縁によって押され続け、先端縁応動アーム１１２が回動されて係合ピン１１１ｂが第１の規制内縁部１１２ａ２の直交内縁１１２ａ２２に係合されて、それ以上の回動が規制されるようになって、それ以上硬貨を押し込むことができなくなり、硬貨の受け入れが阻止される。
【００５２】
また、投入された硬貨が、小径の正規硬貨Ｃ１の直径を超え大径の正規硬貨Ｃ２の直径未満の任意の直径を有するもの、すなわち、正規硬貨でない場合には、図１２及び図１３に示すように、係合ピン１１１ｂが第２の規制内縁部１１２ａ３に係合して直径検知基準ピン１１１ａが基準固定ピン１０１から当該硬貨の直径以上に離間しないように上縁応動レバー１１１と先端縁応動アーム１１２の回動が相互に規制されるようになって、直径検知基準ピン１１１ａと基準固定ピン１０１とによって、硬貨のそれ以上の押し込みが阻止されて受入が拒否される。
【００５３】
次に、大径の正規硬貨が投入された場合の動作を図１４〜図１７を参照して説明する。大径の正規硬貨Ｃ２が投入されると、図１４に示すように、その外周下縁が基準固定ピン１０１に当接して基準固定ピン１０１を基準にその高さ位置が決まり、硬貨Ｃ２の直径が任意の直径以上である場合、図示のように、硬貨Ｃ２の先端外周縁が当接ピン１１３ａに当接する前に、基準固定ピン１０１を基準に硬貨の外周縁が上縁応動レバー１１１の直径検知基準ピン１１１ａに当接し、上縁応動レバー１１１が引っ張りバネ１１１ｃの付勢力に抗して（図１４において）時計回転方向に回動される。硬貨をさらに押し込むと、図１５に示すように、係合ピン１１１ｂが第３の規制内縁部１１２ａ４１の円弧内縁１１２ａ４１に係合され、それ以上の回動が規制されて直径検知基準ピン１１１ａの位置に保持される。この位置保持された直径検知基準ピン１１１ａと基準固定ピン１０１との距離が大径の正規硬貨Ｃ２の直径に相当する大きさになっている。
【００５４】
したがって、投入された硬貨が、大径の正規硬貨Ｃ２の直径以上の直径を有するもの、すなわち、正規硬貨でない場合には、基準固定ピン１０１と位置保持された直径検知基準ピン１１１ａとによって、硬貨のそれ以上の押し込みが阻止されて受入が拒否される。投入された硬貨が、大径の正規硬貨Ｃ２の直径に相当する直径を有するものであるとき、基準固定ピン１０１と直径検知基準ピン１１１ａとの間を通過し、この通過の過程で、硬貨の外周下縁が基準固定ピン１０１に隣接して配された直径感知ピン１２１に当接する。そして、直径検知基準ピン１１１ａを基準にして直径感知レバー１２０には（図１５において）反時計回転方向の回動力が付与され反時計回転方向に回動されるようになる。
【００５５】
図１５に示すように、直径感知レバー１２０が硬貨の直径が直径検知基準ピン１１１ａと直径感知ピン１２１との間に位置するようになるまで回動されると、直径感知レバー１２０の他端の押動部１２２が硬貨通過許容レバー１３０の被押動ピン１３１を押動して、硬貨通過許容レバー１３０を（図１４において）時計回転方向に回動させ、当接ピン１１３ａとともに硬貨の通路から完全に移動させて硬貨の通過を許容するようになる。
【００５６】
通過した大径の正規硬貨Ｃ２は、図１６に示すように、仕分け装置１５０の傾斜起立片１０６ｃを経て仕分けレバー１５１の一対の仕分けピン１５１ａ，１５１ｂ間まで落下したとき、これらの間を通過することができず、一対の仕分けピン１５１ａ，１５１ｂによって受け止められる。仕分けレバー１５１は重り１５２によって（図１５において）時計回転方向の回転力が付与されているが、硬貨Ｃ２を受け止めることによって、逆方向の回転力が付与されて回転され、一対の仕分けピン１５１ａ，１５１ｂによって受け止められていた硬貨Ｃ２が傾斜起立片１０６ｃ及び１０６ｄ間の落下路を通じて落下される。この結果、小径の規定硬貨Ｃ１と大径の規定硬貨Ｃ２は、図１７に示すように、異なる位置に落下されることによって仕分けられる。
【００５７】
なお、上述した実施の形態では、直径基準設定手段１１０は、一端に直径検知基準ピン１１１ａが、他端に係合ピン１１１ｂがそれぞれ突設され、一端寄りで枢着された上縁応動レバー１１１と、小径の正規硬貨の直径と大径の正規硬貨の直径の間の任意の直径未満の直径を有する硬貨の投入に応じて回動され、直径検知基準ピン１１１ａが基準固定ピン１０１から小径の正規硬貨の直径を超えて離間しないように係合ピン１１１ｂと係合して上縁応動レバー１１１の回動を規制する第１の規制部としての規制窓１１２ａの内縁１１２ａ２と、任意の直径以上の直径を有する硬貨が投入され当該硬貨の外周縁が直径検知基準ピン１１１ａに当接されたとき、直径検知基準ピン１１１ａが基準固定ピン１０１から大径の正規硬貨の直径を超えて離間しないように係合ピン１１１ｂと係合して上縁応動レバー１１１の回動を規制する第２の規制部としての規制窓１１２ａの内縁１１２ａ３とを有する先端縁応動アーム１１２と、先端縁応動アーム１１２上に枢着され、基準固定ピン１０１と直径検知基準ピン１１１ａとの間に形成される硬貨通路の中央部に位置される当接ピン１１３ａが一端に突設された硬貨当接片１１３とを有し、任意の直径未満の直径を有する硬貨が投入され当該硬貨の先端外周縁が当接ピン１１３ａに当接されたとき、硬貨当接片１１３が先端縁応動アーム１１２を回動させて、基準固定ピン１０１と協働して受け入れる硬貨の直径基準を２段階に切り替え可能に設定するようにしている。
【００５８】
しかし、小径の正規硬貨の直径と大径の正規硬貨の直径の間の任意の直径未満の直径を有する硬貨が投入されたとき基準固定ピン１０１から小径の正規硬貨の直径を超えて離間しないように規制され、任意の直径以上の直径を有する硬貨が投入されたとき基準固定ピン１０１から大径の正規硬貨の直径を超えて離間しないように規制され、基準固定ピン１０１との間に小径の正規硬貨の直径又は大径の正規硬貨の直径以下の直径を有する硬貨を受け入れる直径基準を設定する直径検知基準ピン１１１ａを有すればよい。
【図面の簡単な説明】
【００５９】
【図１】本発明に係る検銭装置を、検銭し受け入れた２種類の硬貨を仕分ける仕分け装置を有する硬貨受入装置に適用した実施形態として示す左側斜視図である。
【図２】図１の装置の左側面図である。
【図３】図１の装置の正面図である。
【図４】図１の装置の右側斜視図である。
【図５】図１の装置の右側面図である。
【図６】図２中の一部分の拡大図である。
【図７】小径の正規硬貨を投入したときの検銭装置の初期の動作状態を示す図４に対応する右側面図である。
【図８】投入した小径の正規硬貨を押し込んだとき検銭装置の初期の動作状態を示す図４に対応する右側面図である。
【図９】投入した小径の正規硬貨をさらに押し込んだときの初期の動作状態を示す図４に対応する右側面図である。
【図１０】通過した小径の正規硬貨を仕分ける仕分け動作を示す図２に対応する左側面図である。
【図１１】投入した小径の正規硬貨の直径より小さな直径を有する硬貨を押し込んだときの検銭装置の動作状態を示す図２に対応する左側面図である。
【図１２】投入した小径の正規硬貨の直径より大きく大径の正規硬貨の直径より小さな直径を有する一硬貨を押し込んだときの検銭装置の動作状態を示す図２に対応する左側面図である。
【図１３】投入した小径の正規硬貨の直径より大きく大径の正規硬貨の直径より小さな直径を有する一硬貨を押し込んだときの検銭装置の動作状態を示す図２に対応する右側面図である。
【図１４】投入した大径の正規硬貨を押し込んだときの検銭装置の動作状態を示す図４に対応する右側面図である。
【図１５】投入した大径の正規硬貨を押し込んだときの検銭装置の動作状態を示す図４に対応する右側面図である。
【図１６】通過した大径の正規硬貨を仕分ける仕分け動作を示す図５に対応する右側面図である。
【図１７】通過した小径の正規硬貨と大径の正規硬貨の落下位置を示す図５に対応する右側面図である。
【図１８】検銭装置を内蔵する硬貨受入装置の従来例を示す正面図である。
【図１９】従来の検銭装置の一例を示す側面図である。
【符号の説明】
【００６０】
１０１            基準固定ピン
１１０            直径基準設定手段
１１１            上縁応動レバー
１１１ａ          直径検知基準ピン
１１１ｂ          係合ピン
１１２            先端縁応動アーム
１１２ａ２        第１の規制部（第１の規制内縁部）
１１２ａ３        第２の規制部（第２の規制内縁部）
１１２ａ４        第３の規制部（第３の規制内縁部）
１１３            硬貨当接片
１１３ａ          当接ピン
１２０            直径感知レバー
１３０            硬貨通過許容レバー
１５０            硬貨仕分け手段（硬貨仕分け装置）
１５１            仕分けレバー
１５１ａ，１５１ｂ仕分けピン
Ｃ１              小径の正規硬貨
Ｃ２              大径の正規硬貨
【図１】
2007293789.tif 000003
【図２】
2007293789.tif 000004
【図３】
2007293789.tif 000005
【図４】
2007293789.tif 000006
【図５】
2007293789.tif 000007
【図６】
2007293789.tif 000008
【図７】
2007293789.tif 000009
【図８】
2007293789.tif 000010
【図９】
2007293789.tif 000011
【図１０】
2007293789.tif 000012
【図１１】
2007293789.tif 000013
【図１２】
2007293789.tif 000014
【図１３】
2007293789.tif 000015
【図１４】
2007293789.tif 000016
【図１５】
2007293789.tif 000017
【図１６】
2007293789.tif 000018
【図１７】
2007293789.tif 000019
【図１８】
2007293789.tif 000020
【図１９】
2007293789.tif 000021